(57)【要約】【課題】電子銃の異なる品種や仕様を外見上から区別するために、電子銃の電極を支持する絶縁支持体を夫々異なる着色ガラス材によって形成したり、多色構成にしたりしていたが、絶縁支持体に電極の植設部を圧入させる際に、絶縁支持体の対応部分を加熱軟化させるため、各色毎に加熱軟化条件を設定管理する必要があり、加熱条件管理が繁雑となったり、反り等の歪が発生する等の問題があったが、これら着色の色が相違していても、同一加熱軟化条件にて設定管理をすることを可能とし、また、反り等の歪が発生しないようにした電子銃用絶縁支持体、及びこれを組込んだ陰極線管を得るようにする。【解決手段】電子銃２１を構成する電極Ｇ１〜Ｇ８の植設部２５が圧入溶着される絶縁支持体２３を、略長方形状の柱状の絶縁体２６と着色部材２７から構成し、この着色部材２７を植設部２５側とは反対側の絶縁体２６の側面上に一部が露呈し、且つ、この側面近傍位置に配設する。【選択図】  図１
2004199885.tif 000002
【特許請求の範囲】
【請求項１】
電子銃を構成する各電極に設けられた植設部を溶着支持するための絶縁支持体であって、
ガラス材によって形成された略長方形状の柱状の絶縁体と、
この絶縁体の前記植設部が埋設される側面の反対側の側面近傍に位置し、この側面の外方にその一部が露呈されるように配設された着色部材とを具備することを特徴とする電子銃用絶縁支持体。
【請求項２】
前記着色部材は、前記露呈する側面表面から０．３ｍｍ以内の深さに形成されていることを特徴とする請求項１記載の電子銃用絶縁支持体。
【請求項３】
前記着色部材にて記号を表示させたことを特徴とする請求項１及び２のいずれか１つに記載された電子銃用絶縁支持体。
【請求項４】
略矩形状のフェースパネルと、
このフェースパネルに連接する漏斗状のファンネルと、
前記フェースパネル内面に形成された蛍光体スクリーンと、
前記ファンネルのネック内に配置され電子ビームを形成及び前記蛍光体スクリーン上に集束させる複数のグリッド電極を備えた電子銃と、
この電子銃に並設して前記ネック内に配置され前記グリッド電極を支持する対向する一対のガラス材によって形成された略長方形状の柱状の絶縁支持体とを有する陰極線管において、
前記絶縁支持体は、前記グリッド電極の植設部を植設した側面と反対側の側面表面にその一部を露呈して、この側面近傍に配設された着色部材を有することを特徴とする陰極線管。
【発明の詳細な説明】
【０００１】
【発明の属する技術分野】
本発明は、カラー陰極線管等に内蔵されグリッド電極等を支持する一部に着色部材を有する電子銃用絶縁支持体、及びこの絶縁支持体を備えた陰極線管に関する。
【０００２】
【従来の技術】
現在、一般的なカラーテレビジョン受像機等に使用されているカラー陰極線管は、図５に示すように、略矩形状を呈するフェースパネル５１と、このフェースパネル５１に一体的に接合された漏斗状のファンネル５２からなる外囲器を有し、そのフェースパネル５１の内面に、青、緑、赤に発光するストライプ状あるいはドット状の３色蛍光体層からなる蛍光体スクリーン５３が形成され、この蛍光体スクリーン５３に対向して、その内側に多数のアパーチャの形成されたシャドウマスク５４が装着されている。
【０００３】
一方、ファンネル５２のネック５５内には、３電子ビーム５６Ｂ，５６Ｇ，５６Ｒを放出する水平方向に一列に配列されたインライン型の電子銃５７が配設され、この電子銃５７から放出される３電子ビーム５６Ｂ，５６Ｇ，５６Ｒを、ファンネル５２の外側に装着された偏向ヨーク５８の発生する水平及び垂直偏向磁界によって偏向し、シャドウマスク５４を介して蛍光体スクリーン５３を、水平、垂直走査することによって、蛍光体スクリーン５３上にカラー画像を再生表示するように構成されている。
【０００４】
このようなカラー陰極線管においては、特に電子銃５７を同一水平面上を通るセンタービーム５６Ｇ、及びその両側の一対のサイドビーム５６Ｂ，５６Ｒを放出するインライン型の電子銃５７として構成し、電子銃５７の主レンズ部分の低圧側と高圧側の電極のサイドビーム通過孔の位置を偏心させることによって、蛍光体スクリーン５３中央において３本の電子ビーム５６Ｂ，５６Ｇ，５６Ｒを集中させ、偏向ヨーク５８の発生する水平偏向磁界をピンクッション形に、また垂直偏向磁界をバレル形に構成することで、一列配置の３電子ビーム５６Ｂ，５６Ｇ，５６Ｒを画面全域で自己集中するセルフコンバーゼンス方式のカラー陰極線管が広く実用化されている。
【０００５】
このようなカラー陰極線管に使用されている電子銃５７は、例えば、図６及び図７に示すように、水平方向に一列配置された３本のカソード電極Ｋ（図では１個のカソード電極のみを図示）と、このカソード電極Ｋを加熱するヒータＨ及びカソード電極Ｋから電子ビーム５６Ｂ，５６Ｇ，５６Ｒの進行方向に順次配置された第１グリッド電極Ｇ１乃至第８グリッド電極Ｇ８からなる複数個のグリッド電極Ｇ１〜Ｇ８、並びにコンバーゼンスカップＣを有し、これらカソード電極Ｋ及び各グリッド電極Ｇ１〜Ｇ８は、ビードガラスからなる一対の対向する絶縁支持体５９によって所定の間隔で支持固定されており、この電子銃５７の側面には、電子銃５７の長手方向に沿って管内用抵抗器６０が配設され、この抵抗器６０の高圧側には、第８グリッド電極Ｇ８と溶接されたコンバーゼンスカップＣに取着された導電スプリング６１を介して、陽極電圧が供給される管内内壁に被着されたグラファイト導電膜６２から陽極電圧を採り込んで、端子片６３を介して供給されるとともに、第８グリッド電極Ｇ８にも供給している。
【０００６】
これら各グリッド電極Ｇ１〜Ｇ８は、所定の電位となるように抵抗器６０の中間部分に設けた電圧供給端子から所定の動作電圧が供給されており、これら各グリッド電極Ｇ１〜Ｇ８によって、電子ビーム５６Ｂ，５６Ｇ，５６Ｒを蛍光体スクリーン５３上に集束する主レンズを含む複数の電子レンズが形成されている。
【０００７】
このように構成されている電子銃５７は、水平方向に一列配置された青、緑、赤用の３個のカソード電極Ｋと、その各カソード電極Ｋに内挿された３個のヒータＨとを有している。このカソード電極Ｋは、長板状のカソードサポートストラップからなる植設部６４を有し、この植設部６４が電子銃５７に並設された一対の絶縁支持体５９に溶着固定されている。
【０００８】
同様に、電子ビーム５６Ｂ，５６Ｇ，５６Ｒを通過させる電子ビーム通過孔を有する板状の第１及び第２グリッド電極Ｇ１，Ｇ２の各植設部６４も絶縁支持体５９に溶着固定され、更に、第３グリッド電極乃至第８グリッド電極Ｇ３〜Ｇ８は、複数個のカップ状電極の組合せから構成されており、夫々の電極Ｇ３〜Ｇ８の植設部６４が同様に絶縁支持体５９に溶着固定されて一体化されている。
【０００９】
このカソード電極Ｋを含む各グリッド電極Ｇ１〜Ｇ８は、絶縁支持体５９にその植設部６４を溶着固定させているが、この溶着は、一対の絶縁支持体５９の植設部６４が圧入される一側面側の表面をバーナーで加熱し、この絶縁支持体５９の表面が適度に溶解した時点で、予め所定の組立治具上に一列配置されている各電極Ｋ，Ｇ１〜Ｇ８の植設部６４方向に向けて夫々絶縁支持体５９を移動接合させて加圧することにより、植設部６４を絶縁支持体５９中の所定の位置まで埋没させ、この状態で加熱された絶縁支持体５９の温度を降下させて固化させることにより、一対の絶縁支持体５９間に各電極Ｋ，Ｇ１〜Ｇ８が一体化されるようになされている。
【００１０】
このように、各電極Ｋ，Ｇ１〜Ｇ８を支持する一対の絶縁支持体５９によって一体化された電子銃５７は、夫々の陰極線管の品種毎に電子銃５７の仕様が異なることから、外観的に類似している夫々異なる電子銃５７毎に外見から明確に区分できるようにしておくことが、取扱い上や製造上の面からも望ましいことである。
【００１１】
その一手段として、絶縁支持体５９全体の色が品種毎に異なるように、異なる色の着色ガラス粉を用いて絶縁支持体５９を形成することが一般に行われている。このように絶縁支持体５９を異なる色彩として形成することで、各管種に応じた電子銃を絶縁支持体５９の色の相違を判別することで、容易に外見上から区分させることが可能になる。
【００１２】
しかしながら、このような着色ガラス粉を使用して形成した着色絶縁支持体５９を用いて各電極Ｋ，Ｇ１〜Ｇ８を溶着支持させる場合には、着色していないガラス粉を用いて形成した絶縁支持体５９と比較して、その外径仕様が同じであったとしても、その絶縁支持体５９の加熱軟化工程における軟化させるための加熱条件が異なっている。この加熱軟化工程では、バーナーでの加熱軟化時における絶縁支持体５９の表面温度を、放射温度計を使用して計測管理しており、この計測される放射率特性が使用されている着色ガラス粉によって夫々相違が発生するために、各色毎に加熱条件を設定して管理していく必要が発生している。
【００１３】
この各色に対する加熱温度条件の一例を表１に示す。
【００１４】
【表１】
2004199885.tif 000003
この表１の加熱条件からも解るように、採用する色によって絶縁支持体５９を加熱軟化させる温度が異なり、各色毎に加熱条件の設定管理を行わなければならないという追加の作業が発生する。しかも、製造品種が多岐に及ぶとより多くの異なる色の着色ガラス材を使用することになり、その分だけ加熱条件の設定管理を必要とし、極めて繁雑なものとなる。
【００１５】
また、このように、絶縁支持体５９全体を着色せずに、その一端部側のみを着色し、絶縁支持体５９を２色の多色構成として構成することも考案されている（例えば、特許文献１参照。）。
【００１６】
しかしながら、この特許文献１によって開示されている絶縁支持体５９においても同様な加熱条件の設定管理が必要となるばかりでなく、絶縁支持体５９を多色構成としているために、着色ガラス粉の特性差から生ずる反り等の歪を防止するために、この加熱条件の設定管理には、より高い精度の管理が要求される。
【００１７】
【特許文献１】
実開昭６１−１４６８５８号公報（第３−５頁、第１図）
【００１８】
【発明が解決しようとする課題】
このように、多品種に亘る電子銃５７を容易に外見上から区別させるためには、絶縁支持体５９を着色ガラス材によって形成し、着色絶縁支持体５９として構成することによって、その判別が簡単に行える利点があるが、その反面、着色絶縁支持体５９を軟化させるための加熱条件が、夫々使用される着色ガラス材毎に異なってくるために、各色毎に加熱条件の設定管理を行う必要が生じ、電子銃５７が多品種・多仕様になればなるほど、設定管理が極めて困難となっている。
【００１９】
また、絶縁支持体５９を多色構成とした場合においても、これらの加熱条件の設定管理を行うことはもとより、多色構成としたがために、着色ガラス材の特性差から生じる反り等の歪に対しても配慮していかなければならないという新たな問題も発生し、より設定管理を厳格にする必要がある。
【００２０】
本発明は、このような課題に対処してなされたものであり、加熱条件の設定管理を容易に行うことが可能で、しかも多品種・多仕様に応じて夫々の電子銃も簡単に外見上からも区分することができるようにした電子銃用絶縁支持体及び陰極線管を提供することを目的とする。
【００２１】
【課題を解決するための手段】
本発明は、電子銃を構成する各電極に設けられた植設部を溶着支持するための絶縁支持体であって、ガラス材によって形成された略長方形状の柱状の絶縁体と、この絶縁体の植設部が埋設される側面の反対側の側面近傍に位置し、この側面の外方にその一部が露呈されるように配設された着色部材とを備えている。
【００２２】
また、略矩形状のフェースパネルと、このフェースパネルに連接する漏斗状のファンネルと、フェースパネル内面に形成された蛍光体スクリーンと、ファンネルのネック内に配置され電子ビームを形成及び蛍光体スクリーン上に集束させる複数のグリッド電極を備えた電子銃と、この電子銃に並設してネック内に配置されグリッド電極を支持する対向する一対のガラス材によって形成された略長方形状の柱状の絶縁支持体とを有する陰極線管において、絶縁支持体は、グリッド電極の植設部を植設した側面と反対側の側面表面にその一部を露呈して、この側面近傍に配設された着色部材を有している。
【００２３】
このように、略長方形状の柱状の絶縁体外側面の表面にその一部を露呈し、且つ、その側面近傍に着色部材を配置させた絶縁支持体を用いて各電極を支持するように構成することで、加熱条件の設定管理を容易とするばかりでなく、簡単に多品種・多仕様の電子銃を外見上から判別することを可能とした電子銃用絶縁支持体及びこの支持体を組込んだ陰極線管を得ることができる。
【００２４】
【発明の実施の形態】
以下、本発明の実施の形態について図面を参照して詳細に説明すると、本発明に係るカラー陰極線管は、図１に示すように構成されている。
【００２５】
即ち、略矩形状を呈するフェースパネル１１と、このフェースパネル１１に一体的に接合された漏斗状のファンネル１２からなる外囲器を有し、このフェースパネル１１の内面に、青、緑、赤に発光するストライプ状あるいはドット状の３色蛍光体層からなる蛍光体スクリーン１３が形成され、この蛍光体スクリーン１３に対向して、その内側に多数のアパーチャの形成されたシャドウマスク１４がマスクフレーム１５に取着され、このマスクフレーム１５は、弾性支持体１６及びスタッドピン１７を介してフェースパネル１１内側に装着され、このマスクフレーム１５には、磁気シールド板１８が取着されている。
【００２６】
一方、ファンネル１２のネック１９内には、３電子ビーム２０Ｂ，２０Ｇ，２０Ｒを放出する水平方向に一列に配列されたインライン型の電子銃２１が配設され、この電子銃２１から放出される３電子ビーム２０Ｂ，２０Ｇ，２０Ｒを、ファンネル１２の外側に装着された偏向ヨーク２２の発生する水平及び垂直偏向磁界によって偏向し、シャドウマスク１４を介して蛍光体スクリーン１３を水平、垂直走査することにより、蛍光体スクリーン１３上にカラー画像を再生表示するように構成されている。
【００２７】
このようなカラー陰極線管においては、特に電子銃２１が、同一水平面上を通るセンタービーム２０Ｇ、及びその両側の一対のサイドビーム２０Ｂ，２０Ｒを放出するインライン型の電子銃２１として構成され、電子銃２１の主レンズ部分の低圧側と高圧側の電極のサイドビーム通過孔の位置を偏心させることによって、蛍光体スクリーン１３中央において３本の電子ビーム２０Ｂ，２０Ｇ，２０Ｒを集中させ、偏向ヨーク２２の発生する水平偏向磁界をピンクッション形に、また垂直偏向磁界をバレル形に構成することで、セルフコンバーゼンス方式のカラー陰極線管を構成している。
【００２８】
この電子銃２１構体は、図２及び図３に示すように、水平方向に一列配置された３本のカソード電極Ｋ（図では１個のカソード電極のみを図示）と、このカソード電極Ｋを加熱するヒータＨ及びカソード電極Ｋから電子ビーム２０Ｂ，２０Ｇ，２０Ｒの進行方向に順次同軸上に共通に配置された第１グリッド電極Ｇ１乃至第８グリッド電極Ｇ８からなる複数個のグリッド電極Ｇ１〜Ｇ８、並びに第８グリッド電極Ｇ８に溶着されたコンバーゼンスカップＣを有し、これらカソード電極Ｋ及び各グリッド電極Ｇ１〜Ｇ８は、ビードガラスからなる一対の対向する略長方形状の柱状の絶縁支持体２３によって、所定の間隔で絶縁支持体２３間に支持固定されている。また、この絶縁支持体２３の側面には、絶縁支持体２３の長手方向に沿って管内用抵抗器２４が配設され、この抵抗器２４の高圧側には、コンバーゼンスカップＣに一端を溶着した導電スプリング２５を介して陽極電圧が供給されている。
【００２９】
これら各グリッド電極Ｇ１〜Ｇ８は、所定の電位となるようにバイアスされており、例えば第１グリッド電極Ｇ１は接地もしくはマイナス電位に、第２グリッド電極Ｇ２には５００〜８００Ｖ程度の低電位の加速電圧が印加されている。また第３グリッド電極Ｇ３と第５グリッド電極Ｇ５とは共通に接続されて、抵抗器２４の中間部分に設けた電圧供給端子から所定のフォーカス電圧が、また第４グリッド電極Ｇ４と第６グリッド電極Ｇ６とが共通に接続されるとともに、この第４グリッド電極Ｇ４には、抵抗器２４の中間部分に設けた他の電圧供給端子から２５〜３５ＫＶ程度の陽極電圧の約３５〜４５％程度に相当する電圧が供給されている。また第７グリッド電極Ｇ７には、抵抗器２４の中間部分に設けた他の電圧供給端子を介して陽極電圧の５０〜７０％程度に相当する電圧が供給されており、更に第８グリッド電極Ｇ８には、コンバーゼンスカップＣを介して陽極電圧がそのまま印加されている。これらの各グリッド電極Ｇ１〜Ｇ８によって、電子ビーム２０Ｂ，２０Ｇ，２０Ｒを蛍光体スクリーン１３上に集束する主レンズを含む複数の電子レンズを構成している。
【００３０】
このように構成されている電子銃２１は、水平方向に一列配置された青、緑、赤用の３個のカソード電極Ｋと、その各カソード電極Ｋに内挿された３個のヒータＨとを有している。このカソード電極Ｋは、長板状のカソードサポートストラップからなる植設部２５を有し、この植設部２５が電子銃２１に並設された一対の絶縁支持体２３に溶着固定されている。
【００３１】
同様に、電子ビーム２０Ｂ，２０Ｇ，２０Ｒを通過させる電子ビーム通過孔を有する板状の第１及び第２グリッド電極Ｇ１，Ｇ２の植設部２５も絶縁支持体２３に溶着固定され、更に、第３グリッド電極乃至第８グリッド電極Ｇ３〜Ｇ８は、複数個のカップ状電極の組合せから構成されており、夫々の電極Ｇ３〜Ｇ８の植設部２５が同様に絶縁支持体２３に溶着固定されて一体化されている。
【００３２】
このカソード電極Ｋを含む各グリッド電極Ｇ１〜Ｇ８は、絶縁支持体２３にその植設部２５を溶着固定させている。この溶着は、一対の絶縁支持体２３の植設部２５が圧入される一側面側の表面をバーナーで加熱し、この絶縁支持体２３の表面が適度に溶解した時点で、予め所定の組立治具上に一列配置されている各電極Ｋ，Ｇ１〜Ｇ８の植設部２５方向に向けて、夫々絶縁支持体２３を移動接合させて加圧することにより、植設部２５を絶縁支持体２３中の所定の位置まで埋没させる。この状態で加熱された絶縁支持体２３の温度を降下させて固化させることにより、一対の絶縁支持体２３によって各電極Ｋ，Ｇ１〜Ｇ８が一体化されて電子銃２１が形成される。
【００３３】
このような絶縁支持体２３は、図４に示すように形成されている。即ち、図４（ａ）及び同（ｂ）に示すように、ガラス材によって略長方形状の柱状に形成された絶縁体２６と、この絶縁体２６の各電極Ｋ，Ｇ１〜Ｇ８の植設部２５が圧入される一側面側とは反対側の外側面に、その一部を露呈させた円形状の着色部材２７が形成されている。この着色部材２７は、植設部２５が最終的に圧入保持される絶縁体２６の深さ方向の先端位置よりも、着色部材２７の一部が露呈されている側の外側面に接近した側面直近の位置に介在されるように形成されている。換言すれば、植設部２５が圧入される側面とは反対側の側面近傍で、且つ一部がこの側面から外部に露呈するように、着色部材２７を形成配置しているものである。
【００３４】
この着色部材２７を有する絶縁支持体２３は、成形型に無着色のガラス粉を挿入した後に、着色部材２７を形成する箇所に着色ガラス粉を載せて押圧焼成することにより、簡単に形成することが可能である。
【００３５】
この絶縁支持体２３は、例えば長手方向の長さをａ、幅をｂ、厚さ（高さ）をｃとし、円形状の着色部材２７の直径をｄ、着色部材の深さ（厚さ）をｅとし、絶縁体２６に圧入される植設部２５先端から着色部材２７が露呈される側面までの間隔をｆとした場合に、夫々の寸法は次のように設定される。
【００３６】
ａ＝４０〜６０ｍｍ
ｂ＝８〜１２ｍｍ
ｃ＝２〜４ｍｍ
ｄ＝５ｍｍ
ｅ＝０．３ｍｍ
ｆ＝１ｍｍ
このように構成することにより、着色部材２７の深さｅを植設部２５先端から着色部材２７側の側面までの間隔ｆよりも浅く、即ち、間隔ｆの３０％程度以内に設定することで、加熱軟化される領域外に配置することができるために、外部から着色部材２７を観察した際に、着色された色の判別が明確に、しかも容易に行うことができるとともに、絶縁支持体２３を加熱軟化させる際の放射率特性に対して加熱軟化させる側からでは色の変化の影響がほとんどなくなるために、絶縁支持体２３の外径仕様が同じであれば、加熱条件の設定管理を単一化することが可能となり、着色された色毎に加熱条件の設定を変更する必要がないことから、加熱条件の設定管理を簡略化することができる。
【００３７】
この間隔ｆをもっと短く設定すると、植設部２５が絶縁体２６の側面近傍に達するために、ガラスと金属との材質の相違によって絶縁体２６自体が破損し易くなるばかりでなく、着色部材２７中に植設部２５が位置すると、外見から植設部２５先端が観察されるようになって識別がし難くなるので、着色部材２７の深さｅは、この値以内に設定するのが好適である。
【００３８】
また、着色部材２７を絶縁体２６の端部側に形成すれば、絶縁支持体２３の方向性を表すマークとしての機能も持たせることが可能となる。この方向性及び着色表示の判別をより明確にさせるためには、図４（ｃ）に示すように、着色部材２７を複数個、例えば、絶縁体２６の長手方向に並設させるように構成することも可能であり、特に方向性を考慮しなければ、図４（ｄ）に示すように、外側面一面に着色部材２７を設けるように構成することも可能で、この場合には、着色部材２７の面積が広くなるために、より外見上からの色の判別が容易となる。
【００３９】
更に、この着色部材２７の形状は、円形状に限らず、図４（ｅ）に示すように四角形状にすることや、図示していないが、三角形状や菱形等の所望な形状に設定することも可能である。
【００４０】
また、図４（ｆ）に示すように、この着色部材２７自体でアルファベットや数字、あるいは文字、符号等の記号を表示させる構成とすれば、色での判別と併せて陰極線管や電子銃２１としての品種や仕様、製造場所等の区分記号としても利用することが可能となり、より多機能性を持たせることができる。
【００４１】
なお、本発明はこれら実施の形態に限定されることなく、例えばグリッド電極構成が異なる電子銃構体にも適用することが可能であり、またカラー陰極線管に限らずその他の陰極線管にも適用が可能で、更には絶縁体を抵抗器用の絶縁基板として兼用させることも可能であり、形状や寸法等も適宜設定することも可能等、その他種々の応用や変形が可能なことは言うまでもない。
【００４２】
【発明の効果】
以上述べてきたように、本発明によれば、ガラス材にて形成される絶縁体の側面近傍に、その一部を露呈させた着色部材を形成した絶縁支持体とすることにより、形成される絶縁支持体にも反り等の歪の発生もなく、外径仕様が同じであれば、電極の植設部を圧入するために加熱軟化させるための加熱条件を同じに設定管理することができるので、加熱軟化させる際の管理が容易となるばかりでなく、品種や仕様の相違も外見上から簡単且つ明確に判別することが可能となり、作業効率の改善や誤使用等を防止することができるものである。
【図面の簡単な説明】
【図１】本発明に係るカラー陰極線管を示す断面図。
【図２】同じくカラー陰極線管の電子銃部分を示す斜視図。
【図３】同じくカラー陰極線管の電子銃の一部分を示す断面図。
【図４】同じく電子銃構体を構成する絶縁支持体を示す説明図。
【図５】従来のカラー陰極線管を示す断面図。
【図６】同じくカラー陰極線管の電子銃部分を示す一部切欠側面図。
【図７】同じくカラー陰極線管の電子銃の一部分を示す断面図。
【符号の説明】
１１：：フェースプレート
１２：ファンネル
１３：蛍光体スクリーン
１９：ネック
２０Ｂ，２０Ｇ，２０Ｒ：電子ビーム
２１：電子銃
２３：絶縁支持体
２５：植設部
２６：絶縁体
２７：着色部材
Ｇ１〜Ｇ８：グリッド電極
【図１】
2004199885.tif 000004
【図２】
2004199885.tif 000005
【図３】
2004199885.tif 000006
【図４】
2004199885.tif 000007
【図５】
2004199885.tif 000008
【図６】
2004199885.tif 000009
【図７】
2004199885.tif 000010